(57)【特許請求の範囲】
【請求項１】
少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックと、この表示駆動回路ブロックと映像信号を出力する外部機器との間に接続される入力信号回路ブロックと、これらのパネル、表示駆動回路ブロック及び入力信号回路ブロックが収容される筐体とを有し、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えるとともに外部機器に接続するための接続ケーブルが着脱可能に接続される入力端子部を備えたブロック本体とで構成したことを特徴とするプラズマディスプレイ装置。
【請求項２】
少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックと、この表示駆動回路ブロックと映像信号を出力する外部機器との間に接続される入力信号回路ブロックと、これらのパネル、表示駆動回路ブロック及び入力信号回路ブロックが収容される筐体とを有し、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えた第１のブロック本体と、前記ケース部材内に配置されかつ前記表示駆動回路ブロックに接続されるとともに外部機器に接続するための接続ケーブルが着脱可能に接続される入力端子部を備えた第２のブロック本体とで構成したことを特徴とするプラズマディスプレイ装置。
【請求項３】
少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックと、この表示駆動回路ブロックと映像信号を出力する外部機器との間に接続される入力信号回路ブロックと、これらのパネル、表示駆動回路ブロック及び入力信号回路ブロックが収容される筐体とを有し、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えた第１のブロック本体と、前記ケース部材内に配置されかつ前記表示駆動回路ブロックに接続されるとともに外部機器に接続するための接続ケーブルが着脱可能に接続される入力端子部を備えた第２のブロック本体とで構成し、かつ前記ケース部材内に立上り壁を設けてケース部材内の空間を分離し、一方の空間に前記第１のブロック本体を配置するとともに他方の空間に第２のブロック本体を配置したことを特徴とするプラズマディスプレイ装置。
【請求項４】
ケース部材は、パネルに対してほぼ平行となるようにシャーシ部材に配置した請求項１〜３のいずれかに記載のプラズマディスプレイ装置。
【請求項５】
ケース部材の上面に切り込みを入れ内側に折り曲げることにより立上り壁を形成した請求項３に記載のプラズマディスプレイ装置。
【請求項６】
ブロック本体は、入力信号回路を構成する部品を搭載した回路基板に配置したガイド板を有し、かつブロック本体が装着されるケース部材の内壁面に、前記ガイド板を嵌め合わせることによりブロック本体を位置決めするガイド部材を配設した請求項１、請求項２または請求項３に記載のプラズマディスプレイ装置。
【請求項７】
ブロック本体は、電子回路を構成する電子部品が両面に搭載された回路基板と、この回路基板上の電子部品を覆うように回路基板の両面それぞれに取り付けられかつ前記電子部品を電磁的にシールドまたは電子部品から発生する熱を放熱するための金属板とを有し、前記２つの金属板をほぼ同じ大きさとし、かつ２つの金属板を前記回路基板上の同一位置で回路基板に固定することにより取り付けた請求項１に記載のプラズマディスプレイ装置。
【請求項８】
第１のブロック本体は、電子回路を構成する電子部品が両面に搭載された回路基板と、この回路基板上の電子部品を覆うように回路基板の両面それぞれに取り付けられかつ前記電子部品を電磁的にシールドまたは電子部品から発生する熱を放熱するための金属板とを有し、前記２つの金属板をほぼ同じ大きさとし、かつ２つの金属板を前記回路基板上の同一位置で回路基板に固定することにより取り付けた請求項２または３に記載のプラズマディスプレイ装置。
【請求項９】
２つの金属板のうち一方の金属板に、回路基板に設けた孔に挿入される位置決め片を設け、かつ他方の金属板に前記回路基板の孔と同一位置で前記位置決め片が挿入される孔を設けた請求項６または７に記載のプラズマディスプレイ装置。
【請求項１０】
２つの金属板のうち一方の金属板および回路基板にビスが挿入される孔を設け、他方の金属板に前記ビスが螺合するネジ部を設け、一方の金属板側よりビスを金属板および回路基板の孔を貫通させて他方の金属板のネジ部に螺合させることにより金属板を回路基板に固定した請求項６または７に記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
一方、プラズマディスプレイ装置は大形の表示装置として各種の用途に使用されることから、信号入力端子構造には、パーソナルコンピュータ、テレビジョンチューナ、ビデオなどの各種の情報信号を含む映像信号を出力する外部機器と接続可能な構成が要求される。
【０００６】
このためプラズマディスプレイ装置においては、必然的に多くの外部信号発生源に接続できるように各種の信号入力端子が設けられているが、一般のユーザー側からすれば、全ての信号入力端子を使用するような使い方は少なく、ほとんどが特定の外部機器のみを接続して使用するため、各種の機器に対応できるように設置された各種の信号入力端子の一部は不要になることがある。
【０００７】
また、ユーザーに応じた信号入力端子を有する複数種類のプラズマディスプレイ装置を製造すればよいが、上述のように各種の用途に使用されるプラズマディスプレイ装置においては、多品種の製品を生産しなければならなくなり、生産効率が悪くなってしまう。
【０００８】
【発明が解決しようとする課題】
本発明はこのような現状に鑑みなされたもので、ユーザーの利用目的に応じた信号入力端子構造を備えたプラズマディスプレイ装置を簡単に提供できるようにすることを目的とするものである。
【０００９】
【課題を解決するための手段】
上記目的を達成するために本発明のプラズマディスプレイ装置は、パネルと、シャーシ部材に配置されかつ前記パネルに信号を印加して表示を行う表示駆動回路ブロックと、この表示駆動回路ブロックと映像信号を出力する外部機器との間に接続される入力信号回路ブロックと、これらのパネル、表示駆動回路ブロック及び入力信号回路ブロックが収容される筐体とを有し、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えるとともに外部機器に接続するための接続ケーブルが着脱可能に接続される入力端子部を備えたブロック本体とで構成したものである。
【００１０】
この構成により、プラズマディスプレイ装置に接続される外部機器に対応する入力端子部を備えたブロック本体を複数種類用意しておくことにより、ユーザーの要望に応じてブロック本体を取り替えれば、使用形態に応じた信号入力端子構造を有するプラズマディスプレイ装置を簡単に提供できる。
【００１１】
【発明の実施の形態】
すなわち、本発明の請求項１記載の発明は、少なくとも前面側が透明な一対の基板を基板間に放電空間が形成されるように対向配置するとともに基板に電極群を配置したパネルと、シャーシ部材に配置されかつ前記パネルに信号を印加して表示を行う表示駆動回路ブロックと、この表示駆動回路ブロックと映像信号を出力する外部機器との間に接続される入力信号回路ブロックと、これらのパネル、表示駆動回路ブロック及び入力信号回路ブロックが収容される筐体とを有し、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えるとともに外部機器に接続するための接続ケーブルが着脱可能に接続される入力端子部を備えたブロック本体とで構成したものである。
【００１２】
また、本発明の請求項２に記載の発明は、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えた第１のブロック本体と、前記ケース部材内に配置されかつ前記表示駆動回路ブロックに接続されるとともに外部機器に接続するための接続ケーブルが着脱可能に接続される入力端子部を備えた第２のブロック本体とで構成している。
【００１３】
さらに、本発明の請求項３に記載の発明は、前記入力信号回路ブロックは、前記シャーシ部材に配置されかつ筐体の外部に開口した装着口を有するケース部材と、このケース部材に前記装着口より着脱可能に装着されかつケース部材に装着することにより前記表示駆動回路ブロックの信号入力用コネクタに着脱可能に接続される信号出力用コネクタを備えた第１のブロック本体と、前記ケース部材内に配置されかつ前記表示駆動回路ブロックに接続されるとともに外部機器に接続するための接続ケーブルが着脱可能に接続される入力端子部を備えた第２のブロック本体とで構成し、かつ前記ケース部材内に立上り壁を設けてケース部材内の空間を分離し、一方の空間に前記第１のブロック本体を配置するとともに他方の空間に第２のブロック本体を配置したものである。
【００１４】
以下、本発明の一実施の形態によるプラズマディスプレイ装置について、図１〜図１６を用いて説明するが、本発明の実施の態様はこれに限定されるものではない。
【００１５】
まず、プラズマディスプレイ装置におけるプラズマディスプレイパネルの構造について図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１８】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００２０】
図３にこのプラズマディスプレイ装置の表示駆動回路のタイミングチャートの一例を示している。図３に示すように、書き込み期間では、全てのサステイン電極ＳＵＳ１〜ＳＵＳＭを０（Ｖ）に保持した後に、第１行目の表示する放電セルに対応する所定のアドレス電極Ｄ１〜ＤＮに正の書き込みパルス電圧＋Ｖｗ（Ｖ）を、第１行目のスキャン電極ＳＣＮ１に負の走査パルス電圧−Ｖｓ（Ｖ）をそれぞれに印加すると、所定のアドレス電極Ｄ１〜ＤＮと第１行目のスキャン電極ＳＣＮ１との交点部において、書き込み放電が起こる。
【００２１】
次に、第２行目の表示する放電セルに対応する所定のアドレス電極Ｄ１〜ＤＮに正の書き込みパルス電圧＋Ｖｗ（Ｖ）を、第２行目のスキャン電極ＳＣＮ２に負の走査パルス電圧−Ｖｓ（Ｖ）をそれぞれに印加すると、所定のアドレス電極Ｄ１〜ＤＮと第２行目のスキャン電極ＳＣＮ２との交点部において書き込み放電が起こる。
【００２２】
上記同様の動作が順次に行われて、最後に第Ｍ行目の表示する放電セルに対応する所定のアドレス電極Ｄ１〜ＤＮに正の書き込みパルス電圧＋Ｖｗ（Ｖ）を、第Ｍ行目のスキャン電極ＳＣＮＭに負の走査パルス電圧−Ｖｓ（Ｖ）をそれぞれに印加すると、所定のアドレス電極Ｄ１〜ＤＮと第Ｍ行目のスキャン電極ＳＣＮＭとの交点部において書き込み放電が起こる。
【００２３】
次の維持期間では、全てのスキャン電極ＳＣＮ１〜ＳＣＮＭを一旦０（Ｖ）に保持すると共に、全てのサステイン電極ＳＵＳ１〜ＳＵＳＭに負の維持パルス電圧−Ｖｍ（Ｖ）を印加すると、書き込み放電を起こした前記交点部におけるスキャン電極ＳＣＮ１〜ＳＣＮＭとサステイン電極ＳＵＳ１〜ＳＵＳＭとの間に維持放電が起こる。次に全てのスキャン電極ＳＣＮ１〜ＳＣＮＭと全てのサステイン電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００２４】
次の消去期間において、全てのスキャン電極ＳＣＮ１〜ＳＣＮＭを一旦０（Ｖ）に保持すると共に、全てのサステイン電極ＳＵＳ１〜ＳＵＳＭに消去パルス電圧−Ｖｅ（Ｖ）を印加すると、消去放電を起こして放電が停止する。
【００２５】
以上の動作により、プラズマディスプレイ装置において、一画面が表示される。
【００２６】
図４に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００２７】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２８】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンで固定して構成してもよい。
【００２９】
図５はこのような構成のプラズマディスプレイ装置において、バックカバー１２を外して内部の配置構造を示す平面図であり、図５においてスキャンドライバ回路ブロック２０はパネル１０のスキャン電極に所定の信号電圧を供給し、サステインドライバ回路ブロック２１はパネル１０のサステイン電極に所定の信号電圧を供給し、アドレスドライバ回路ブロック２２はパネル１０のアドレス電極に所定の信号電圧を供給するもので、スキャンドライバ回路ブロック２０、サステインドライバ回路ブロック２１はシャーシ部材１４の幅方向の両端部にそれぞれ配置され、またアドレスドライバ回路ブロック２２はシャーシ部材１４の高さ方向の上端部および下端部に配置されている。
【００３０】
制御回路ブロック２３は、テレビジョンチューナ等の外部機器に接続するための接続ケーブルが着脱可能に接続される入力端子部を備えた入力信号回路ブロック２４から送られる映像信号に基づき、画像データをパネル１０の画素数に応じた画像データ信号に変換してアドレスドライバ回路ブロック２２に供給すると共に、放電制御タイミング信号を発生し、各々スキャンドライバ回路ブロック２０およびサステインドライバ回路ブロック２１に供給し、階調制御等の表示駆動制御を行うもので、シャーシ部材１４のほぼ中央部に配置されている。
【００３１】
電源ブロック２５は、前記各回路ブロックに電圧を供給するもので、前記制御回路ブロック２３と同様、シャーシ部材１４のほぼ中央部に配置され、電源ケーブル（図示せず）が装着されるコネクタ２６を有する電源入力ブロック２７を通して商用電源電圧が供給される。
【００３２】
ブラケット２８はスタンドポールに装着されるもので、シャーシ部材１４の高さ方向の下端部の位置に取り付けられている。据置用のスタンドに取り付けたスタンドポールの先端部をブラケット２８の孔に挿入し、ビス等によりスタンドポールをブラケット２８に固定することによりスタンドが取り付けられ、これによりパネルを立てた状態で保持されることとなる。
【００３３】
フレキシブル配線板２９は、パネル１０のスキャン電極、サステイン電極の電極引出部とスキャンドライバ回路ブロック２０、サステインドライバ回路ブロック２１のプリント配線板とを接続し、フレキシブル配線板３０はパネル１０のアドレス電極の電極引出部とアドレスドライバ回路ブロック２２のプリント配線板とを接続するもので、パネル１０の外周部を通して、前面側より背面側に１８０度湾曲させて引き回して配置している。
【００３４】
図６、図７に制御回路ブロック２３と入力信号回路ブロック２４の部分の構成を示しており、以下この部分について詳細に説明する。
【００３５】
制御回路ブロック２３の回路基板３１は、上述したような所定の制御回路を構成するマイクロコンピュータ、ドライバＩＣ、電気回路部品等が搭載されるもので、これにより制御回路ブロック２３が構成され、またこの制御回路ブロック２３の回路基板３１は、前記パネル１０とほぼ平行になるようにシャーシ部材１４にビス等により固定されている。また、この回路基板３１の端部には、信号入力用のコネクタ３２が配置されており、このコネクタ３２を通して入力信号回路ブロック２４から信号が入力される。
【００３６】
入力信号回路ブロック２４は、図６、図７に示すように、前記パネル１０にほぼ平行となるようにシャーシ部材１４に配置されかつ筐体のバックカバー１２より外部に開口するように設けた装着口３３を有するケース部材３４と、このケース部材３４に装着口３３より着脱可能に装着されかつケース部材３４に装着することにより前記制御回路ブロック２３のコネクタ３２に着脱可能に接続される信号出力用のコネクタ３５を備えるとともに外部機器に接続するための接続ケーブルが着脱可能に接続される入力端子３６を備えた第１のブロック本体３７とを有している。
【００３７】
また、ケース部材３４内には、チューナやパソコンなどの別の外部機器に接続するための接続ケーブルが着脱可能に接続される入力端子３８を備えた別の第２のブロック本体３９が内蔵され、前記制御回路ブロック２３のコネクタ３２に信号出力用のコネクタ４０が常時接続されている。なお、図６では、ケース部材３４を省略して図示し、また図７では入力端子３６およびブロック本体３９側を省略して図示している。
【００３８】
このケース部材３４は、金属板を折り曲げ加工することにより構成されており、図７、図８に示すように、シャーシ部材１４側の面には、シャーシ部材１４に取り付けるためのビスが貫通する孔４１ａを有する固定片４１が任意の個所に一体に設けられ、またこのシャーシ部材１４への取り付け面よりほぼ直角に立ち上がる面には、上述した装着口３３およびケース部材３４に内蔵したブロック本体３９の入力端子３８が配置される開口４２を形成した端子配置部４３が設けられている。そして、ケース部材３４は、バックカバー１２に設けた開口（図示せず）より端子配置部４３を外部に表出させた状態でシャーシ部材１４に取り付けられる。
【００３９】
また、このケース部材３４の内壁面には、前記装着口３３に対して直交する方向に延長されかつ金属板の折り曲げ加工により成形した突条のガイド部材４４が取り付けられ、装着口３３よりブロック本体３７をケース部材３４内に装着したときに、前記制御回路ブロック２３のコネクタ３２にブロック本体３７のコネクタ３５が容易に挿入できるようにガイドしている。
【００４０】
ここで、このガイド部材４４において、装着口３３側の一端部には装着口３３に向かって徐々に細くなるテーパー部４４ａが設けられ、他端部には突起４４ｂが設けられている。
【００４１】
さらに、このケース部材３４の内壁面には、ケース部材３４の上面に切り込みを設け、その切り込みにより分離された部分を内側に折り曲げ加工することにより、ブロック本体３７部分とブロック本体３９部分を分離するように立上り壁４５が設けられており、この立上り壁４５を設けることによりブロック本体３９部分が電磁的にシールドされている。４６はケース部材３４と立上り壁４５により囲まれるシールド空間内にブロック本体３９をビスにより取り付けるための固定片である。
【００４２】
図９〜図１３にブロック本体３７の詳細構造を示しており、図９は上面から見た図、図１０は下面から見た図、図１１は横側面から見た図、図１２は後面のコネクタ３５側から見た図、図１３は前面の入力端子３６側から見た図である。
【００４３】
ブロック本体３７は、入力信号回路を構成するＩＣや電気回路部品等の部品が搭載される回路基板５０と、この回路基板５０の上面に取り付けられ前記入力信号回路を構成する部品を電磁的にシールドするとともに前記ケース部材３４の内壁面に取り付けたガイド部材４４に嵌まり合う凹部によるガイド部５１を有するシールド板５２と、同じく回路基板５０の下面に取り付けられた前記入力信号回路を構成する部品を電磁的にシールドするシールド板５３とを備えている。前記２つのシールド板５２、５３はほぼ同じ大きさであり、かつ２つのシールド板５２、５３は前記回路基板５０上の同一位置で回路基板５０に固定することにより取り付けられている。また、前記シールド板５２のガイド部５１は、シールド板５２を成形加工して凹部を形成することにより設けられている。
【００４４】
また、回路基板５０の後面側には、コネクタ３５の端子を電気的に接続して固定することにより配置され、回路基板５０の前面側には、回路基板５０に電気的に接続された入力端子３６が貫通して突出するように複数の孔５４ａを形成するとともに、Ｕ字金具５５を有する端子板５４が取り付けられている。
【００４５】
図１４、図１５はシールド板５２とシールド板５３を回路基板５０に取り付けるための詳細構造を示す拡大図であり、図１４は図９のＡ部の拡大図、図１５は図９のＢ部の拡大図である。
【００４６】
図９、図１４および図１５に示すように、回路基板５０、シールド板５２にはビス５６が挿入される孔５０ａ，５２ａが設けられ、そしてシールド板５３にはビス５６が螺合するネジ部５３ａが設けられている。また、図９のＡ部においては図１４に示すように、回路基板５０およびシールド板５２には孔５０ａ，５２ａに隣接させて角孔５０ｂ，５２ｂが設けられ、そしてシールド板５３にはその角孔５０ｂ，５２ｂに挿入される位置決め片５３ｂが設けられている。
【００４７】
すなわち、回路基板５０、シールド板５２に設けた角孔５０ｂ，５２ｂにシールド板５３の位置決め片５３ｂを挿入することにより、回路基板５０に対してシールド板５２、５３を位置決めして配置し、この状態でビス５６を回路基板５０、シールド板５２の孔５０ａ，５２ａを通してシールド板５３のネジ部５３ａに螺合させることにより、シールド板５２、５３を回路基板５０に位置決めした状態でビス５６のみにより取り付けることができる。
【００４８】
ここで、上記図１３に示す実施の形態では、入力信号回路ブロック２４におけるブロック本体３７側として、ビデオ、ＤＶＤプレーヤー等の機器を接続できるように、１１本のピンジャックを入力端子３６として使用した例を示したが、これに限定されることなく、図１６（ａ）〜（ｆ）に示すような構成の端子板５４としても良い。
【００４９】
図１６（ａ）に示す例では、チューナに接続するためのコネクタケーブルを接続するコネクタのみを入力端子３６として設置した例であり、この場合入力信号回路ブロック２４のブロック本体３９側にはパソコンに接続するコネクタを入力端子３８としている。
【００５０】
図１６（ｂ）に示す例では、ブロック本体３７側の端子板５４に入力端子３６を配置しない場合の例であり、この場合ブロック本体３９側の入力端子３８のみより外部機器から信号が入力される。
【００５１】
図１６（ｃ）〜（ｆ）に示す例では、以上の例で説明した端子板より長さを長くした例であり、図１６（ｃ）は上記図１３の例と同じ入力端子構成とした例、図１６（ｄ）は５本のピンジャックとコネクタを入力端子３６として使用した例、図１６（ｅ）は１２本のピンジャックを入力端子として配置した例、図１６（ｆ）は図１６（ｂ）に対応させ、ブロック本体３７側に入力端子を配置しない例をそれぞれ示すものである。
【００５２】
以上の実施の形態で説明したように本発明においては、入力信号回路ブロック２４は、シャーシ部材１４に配置されかつ筐体の外部に開口した装着口３３を有するケース部材３４と、このケース部材３４に前記装着口３３より着脱可能に装着されかつケース部材３４に装着することにより前記表示駆動回路ブロックの信号入力用のコネクタ３２に着脱可能に接続される信号出力用のコネクタ３５を備えるとともに外部機器に接続するための接続ケーブルが着脱可能に接続される入力端子部を備えたブロック本体３７とで構成したものであり、入力信号回路ブロック２４のブロック本体３７を交換するのみで、ユーザーの利用目的に応じた信号入力端子構造を備えたプラズマディスプレイ装置を提供することができる。
【００５３】
特に、本発明では、ブロック本体３７が着脱可能に装着されるケース部材３４をパネル１０に対してほぼ平行になるようにシャーシ部材１４に取り付けているため、ケース部材３４とブロック本体３７とからなる入力信号回路ブロック２４をプラズマディスプレイ装置の背面側の厚みを利用して配置することができ、装置全体の厚みを厚くすることなく、実現することができる。
【００５４】
また、本発明では、ケース部材３４を設け、そのケース部材３４に対してブロック本体３７を着脱可能に配置する構成であり、着脱されるブロック本体３７がケース部材３４により保持されるため、ブロック本体３７と制御回路ブロック２３との接続部であるコネクタ３２、３５に応力が集中してコネクタ３２、３５が破損したり、接続状態が不安定となったりするのを防ぐことができる。
【００５５】
さらに、ブロック本体３７は、入力信号回路を構成する部品を搭載した回路基板５０に配置したシールド板５２を有し、かつブロック本体３７が装着されるケース部材３４の内壁面に、前記シールド板５２を嵌め合わせることによりブロック本体を位置決めするガイド部材４４を配設した構成であり、ブロック本体３７を位置決めしてケース部材３４内にスムーズに装填することができる。
【００５６】
また、以上の実施の形態で説明したように本発明においては、前記２つのシールド板５２、５３をほぼ同じ大きさとし、かつ２つのシールド板５２、５３を前記回路基板５０上の同一位置で回路基板５０に固定することにより取り付けたものであり、一度に両面にシールド板５２、５３を取り付けることができ、しかも同一位置で取り付けることができるため、省スペースで取り付けを行うことができる。
【００５７】
【発明の効果】
以上の説明から明らかなように本発明によるプラズマディスプレイ装置によれば、入力信号回路ブロックのブロック本体を交換するのみで、ユーザーの利用目的に応じた信号入力端子構造を備えたプラズマディスプレイ装置を提供することができ、またケース部材に対してブロック本体を着脱可能に配置する構成であり、着脱されるブロック本体がケース部材により保持されるため、ブロック本体と制御回路ブロックとの接続部のコネクタ等に応力が集中してコネクタ等が破損したり、接続状態が不安定となったりするのを防ぐことができる。
【００５８】
また、ブロック本体は、入力信号回路を構成する部品を搭載した回路基板に配置したガイド板を有し、かつブロック本体が装着されるケース部材の内壁面に、前記ガイド板を嵌め合わせることによりブロック本体を位置決めするガイド部材を配設した構成とすることにより、ブロック本体を位置決めしてケース部材内にスムーズに装填することができるという効果が得られる。
【図面の簡単な説明】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の駆動方法の一例を示す信号波形図
【図４】同プラズマディスプレイ装置の内部の配置構造を示す分解斜視図
【図５】同プラズマディスプレイ装置の内部の配置構造を示す平面図
【図６】同プラズマディスプレイ装置の入力信号回路ブロック部分の構成を示す平面図
【図７】同分解斜視図
【図８】同入力信号回路ブロックのケース部材の構成を示す斜視図
【図９】同入力信号回路ブロックのブロック本体を上面側から見た平面図
【図１０】同入力信号回路ブロックのブロック本体を下面側から見た平面図
【図１１】同入力信号回路ブロックのブロック本体を側面から見た平面図
【図１２】同入力信号回路ブロックのブロック本体を後面から見た平面図
【図１３】同入力信号回路ブロックのブロック本体を前面から見た平面図
【図１４】同入力信号回路ブロックのブロック本体の要部の拡大図
【図１５】同じく入力信号回路ブロックのブロック本体の要部の拡大図
【図１６】（ａ）〜（ｆ）は入力信号回路ブロックの入力端子の他の例を示す平面図
【符号の説明】
１０  パネル
１１  前面枠
１２  バックカバー
１４  シャーシ部材
２３  制御回路ブロック
２４  入力信号回路ブロック
３１、５０  回路基板
３２、３５、４０  コネクタ
３３  装着口
３４  ケース部材
３６、３８  入力端子
３７、３９  ブロック本体
５１  ガイド部
５２、５３  シールド板
５４  端子板
【図１】
0003744470.tif 000002
【図２】
0003744470.tif 000003
【図３】
0003744470.tif 000004
【図４】
0003744470.tif 000005
【図５】
0003744470.tif 000006
【図６】
0003744470.tif 000007
【図７】
0003744470.tif 000008
【図８】
0003744470.tif 000009
【図９】
0003744470.tif 000010
【図１０】
0003744470.tif 000011
【図１１】
0003744470.tif 000012
【図１２】
0003744470.tif 000013
【図１３】
0003744470.tif 000014
【図１４】
0003744470.tif 000015
【図１５】
0003744470.tif 000016
【図１６】
0003744470.tif 000017